(57)【特許請求の範囲】
【請求項１】
居住者と通話するための子機マイクおよび子機スピーカを備えた玄関子機と、前記玄関子機からの呼び出しに応答して来訪者と通話するための親機音声部を備えたインターホン親機とで構成されたインターホンシステムにおいて、
前記玄関子機に、前記インターホン親機を呼び出すための呼出ボタンと、来訪者を含む玄関子機周辺の状態を撮影するためのカメラと、該カメラの周囲が暗いときに点灯させる照明灯と、前記インターホン親機からの明るさ変更通知を受信したときに、前記照明灯の明るさを調整するための制御を行う子機ＣＰＵとを設け、
前記インターホン親機に、前記カメラが撮影した映像を出画するためのモニタと、来訪者との通話を開始するための通話ボタンと、前記呼出ボタンおよび前記通話ボタンの操作に応答して前記玄関子機に前記明るさ変更通知を送信する親機ＣＰＵとを設け、
前記明るさ変更通知が、前記玄関子機で前記呼出ボタンが操作されたときに、前記照明灯を第１の明るさで点灯させる呼出時調光指令と、前記インターホン親機で前記通話ボタンが操作されたときに、前記照明灯を前記第１の明るさよりも暗い第２の明るさで点灯させる通話時調光指令とを含むことを特徴とするインターホンシステム。
【請求項２】
前記インターホン親機が、外部に異常を知らせるための異常報知部を備え、前記明るさ変更通知が、居住者によって前記異常報知部が操作されたときに、前記照明灯を前記第１の明るさと同等またはそれ以上に明るい明るさで点灯させる異常時調光指令を含む請求項１記載のインターホンシステム。
【請求項３】
前記インターホン親機が、少なくとも前記第２の明るさを変更設定するための操作部を備えた請求項１または２記載のインターホンシステム。
【発明の詳細な説明】
【技術分野】
【０００１】
本発明は、玄関子機に設けられた照明灯の明るさを調整する機能を備えたインターホンシステムに関する。
【背景技術】
【０００２】
従来、夜間など玄関子機の周辺が暗いときに、玄関子機に設けられた照明灯を点灯させ、子機カメラが撮影した映像をインターホン親機のモニタに見易く表示させる技術が提案されている。例えば、特許文献１には、玄関子機の制御部が来訪者の位置に応じて照明灯の明るさを調整する技術が記載されている。特許文献２には、夜間に照明灯への電源供給量を漸増させる夜間照明電源調整部を玄関子機に設けたインターホンシステムが記載されている。
【先行技術文献】
【特許文献】
【０００３】
【特許文献１】特開２０１０−１０９７２０号公報
【特許文献１】特開２０１１−１７６７８０号公報
【発明の概要】
【発明が解決しようとする課題】
【０００４】
ところが、従来のインターホンシステムによると、照明灯の明るさを玄関子機側で調整しているため、来訪者の位置検知機能を備えた子機制御部（特許文献１）や夜間照明電源調整部（特許文献２）を玄関子機に設ける必要があり、玄関子機の構成が複雑になるという問題点があった。また、インターホン親機を操作する居住者自身が、モニタの実際の表示具合に基づいて玄関子機の照明灯の明るさを変更することができないという問題点もあった。
【０００５】
そこで、本発明の目的は、玄関子機に設けられた照明灯の明るさをインターホン親機側からの明るさ変更通知によって簡易に調整できるインターホンシステムを提供することにある。
【課題を解決するための手段】
【０００６】
上記課題を解決するために、本発明は、居住者と通話するための子機マイクおよび子機スピーカを備えた玄関子機と、玄関子機からの呼び出しに応答して来訪者と通話するための親機音声部を備えたインターホン親機とで構成されたインターホンシステムにおいて、次のような特徴的手段を提供する。
【０００７】
（１）玄関子機に、インターホン親機を呼び出すための呼出ボタンと、来訪者を含む周囲の状態を撮影するためのカメラと、カメラの周囲が暗いときに点灯させる照明灯と、インターホン親機から明るさ変更通知を受信したときに、照明灯の明るさを調整するための制御を行う子機ＣＰＵとを設け、インターホン親機に、カメラが撮影した映像を出画するモニタと、来訪者との通話を開始するための通話ボタンと、玄関子機に明るさ変更通知を送信する親機ＣＰＵとを設け、明るさ変更通知が、玄関子機で呼出ボタンが操作されたときに、照明灯を第１の明るさで点灯させる呼出時調光指令と、インターホン親機で通話ボタンが操作されたときに、照明灯を第１の明るさよりも暗い第２の明るさで点灯させる通話時調光指令とを含むことを特徴とするインターホンシステム。
【０００８】
（２）インターホン親機が、外部に異常を知らせるための異常報知部を備え、明るさ変更通知が、居住者によって異常報知部が操作されたときに、照明灯を第１の明るさと同等またはそれ以上に明るい明るさで点灯させる異常時調光指令を含むことを特徴とするインターホンシステム。
【０００９】
（３）インターホン親機が、少なくとも第２の明るさを変更設定するための操作部を備えたことを特徴とするインターホンシステム。
【発明の効果】
【００１０】
本発明のインターホンシステムによれば、来訪者が居住者を呼び出したときに、呼出時調光指令により玄関子機の照明灯を相対的に明るく点灯させ、居住者にモニタの表示を見易くすることができ、居住者が通話ボタンを操作したときには、通話時調光指令によって照明灯を相対的に暗く点灯させ、来訪者が眩しさを感じることなく子機マイクに接近して通話できるなど、インターホン親機からの明るさ変更通知により照明灯の明るさを簡易に調整できるという効果がある。
【図面の簡単な説明】
【００１１】
【図１】本発明の一実施形態を示すインターホンシステムのブロック図である。
【図２】図１のインターホンシステムの動作を示すフローチャートである。
【発明を実施するための形態】
【００１２】
以下、本発明の実施形態を図面に基づいて説明する。図１に示すインターホンシステム１は、来訪者が操作する玄関子機１１と、居住者が操作するインターホン親機２１とから構成されている。
【００１３】
玄関子機１１には、子機全体の動作を制御する子機ＣＰＵ１２と、来訪者を含む玄関周辺を撮影するためのカメラ１３と、来訪者が居住者を呼び出すための呼出ボタン１４と、来訪者が居住者との通話に使用する子機マイク１５および子機スピーカ１６と、夜間など玄関子機１１の周辺が暗いときに点灯する照明灯としての白色ＬＥＤ１７と、子機ＣＰＵ１２がインターホン親機２１と通信するための子機Ｉ／Ｆ１８とが設けられている。なお、白色ＬＥＤ１７は、玄関子機１１周辺の明るさを検出する照度センサ（図示略）、または子機ＣＰＵ１２の時計機能を用いて点灯させることができる。
【００１４】
インターホン親機２１には、親機全体の動作を制御するための親機ＣＰＵ２２と、玄関子機１１のカメラ１３が撮影した映像を出画するモニタ２３と、居住者が来訪者との通話に使用する親機音声部２４と、居住者が来訪者との通話を開始する際に操作する通話ボタン２５と、居住者が玄関子機１１に設けられた白色ＬＥＤ１７の明るさを変更設定するために操作する操作部２６と、居住者が外部に異常を知らせるために操作する異常報知部２７と、親機ＣＰＵ２２が玄関子機１１と通信するための親機Ｉ／Ｆ２８とが設けられている。
【００１５】
次に、上記のように構成されたインターホンシステム１の動作について説明する。来訪者が玄関子機１１の呼出ボタン１４を押すと、子機ＣＰＵ１２が子機Ｉ／Ｆ１８、親機Ｉ／Ｆ２８を介して呼出信号を親機ＣＰＵ２２に送信する。図２に示すように、親機ＣＰＵ２２は、玄関子機１１からの呼出信号を検出すると（Ｓ３１）、モニタ２３を起動し（Ｓ３２）、モニタ２３に玄関子機１１のカメラ１３が撮像した映像を出画させ、親機音声部２４から呼出音を発生させ（Ｓ３３）、居住者に来訪者の訪問を知らせる。
【００１６】
夜間など玄関子機１１の周辺が暗いときには、子機ＣＰＵ１２が親機ＣＰＵ２２に照明要請を通知する。親機ＣＰＵ２２は、照明要請を受けると、白色ＬＥＤ１７の明るさを段階的に変化させるための明るさ変更指令を子機ＣＰＵ１２に返信する。この実施形態の明るさ変更通知には、白色ＬＥＤ１７を最大の明るさ（第１の明るさ）で点灯させる呼出時調光指令と、白色ＬＥＤ１７を呼出時よりも暗い標準的な明るさ（第２の明るさ）で点灯させる通話時調光指令とが含まれている。
【００１７】
そして、図２に示すように、玄関子機１１から呼出信号を受信しているときに、親機ＣＰＵ２２は、照明要請を確認したのち（Ｓ３４）、呼出時調光指令を子機ＣＰＵ１２に送信する（Ｓ３５）。子機ＣＰＵ１２は、白色ＬＥＤ１７への電源供給量が最大となるように玄関子機１１の調光回路（図示略）を制御し、白色ＬＥＤ１７を最大の明るさで点灯させる。なお、昼間など玄関子機１１の周辺が充分に明るい場合は、子機ＣＰＵ１２が照明要請を通知しないため、親機ＣＰＵ２２は白色ＬＥＤ１７を消灯させた状態で呼び出しに応答するための別処理に移行する（Ｓ４０）。
【００１８】
続いて、居住者が通話ボタン２５をＯＮすると（Ｓ３６）、親機ＣＰＵ２２は通話開始信号を子機ＣＰＵ１２に送信し、子機ＣＰＵ１２が子機マイク１５を有効にするための制御を行う。そして、親機ＣＰＵ２２は、通話時調光指令を子機ＣＰＵ１２に送信し（Ｓ３８）、子機ＣＰＵ１２は、白色ＬＥＤ１７への電源供給量が予め設定された標準値となるように調光回路を制御し、白色ＬＥＤ１７を標準的な明るさで点灯させる。その後、親機ＣＰＵ２２は、玄関子機１１からの終話信号を確認し（Ｓ３９）、処理を終了する。
【００１９】
ここで、通話時調光指令が指定する白色ＬＥＤ１７の標準的な明るさとは、居住者がインターホン親機２１の操作部２６で変更可能な明るさであり、例えば、モニタ２３の映像が充分に見易く、しかも、来訪者が子機マイク４に近づいて通話しても眩しさを感じない程度の明るさを適宜に設定できる。また、呼出時調光指令が指定する白色ＬＥＤ１７の明るさは、必ずしも調光回路の最大出力である必要はなく、呼出時の明るさと最大の明るさとの中間値を居住者が操作部２６にて適宜に設定できる。
【００２０】
一方、居住者がインターホン親機２１の異常報知部２７を操作したときには、親機ＣＰＵ２２が子機ＣＰＵ１２に異常時調光指令を送信する。この異常時調光指令は、緊急を要するため、白色ＬＥＤ１７を呼出時と同等の明るさまたはそれ以上に明るい明るさで点灯させる制御値を含み、この調光指令に応答し、子機ＣＰＵ１２は、白色ＬＥＤ１７の輝度が最大またはその近くとなるように、玄関子機１１の調光回路を制御する。
【００２１】
したがって、この実施形態のインターホンシステム１によれば、来訪者が居住者を呼び出したときに、呼出時調光指令により玄関子機１１の白色ＬＥＤ１７を相対的に明るく点灯させ、カメラ１３の映像を鮮明にし、居住者にモニタ２３の表示を見易くすることができ、居住者が通話ボタン２５をＯＮしたときには、通話時調光指令によって白色ＬＥＤ１７を相対的に暗く点灯させ、来訪者が眩しさを感じることなく子機マイク１５に接近して通話でき、さらに、居住者が異常報知部２７を操作したときに、異常時調光指令によって白色ＬＥＤ１７を最も明るく点灯させることができるなど、インターホン親機１１からの多様な明るさ変更通知により、白色ＬＥＤ１７の明るさを簡易に調整することができる。
【００２２】
なお、本発明は、上記実施形態に限定されるものではなく、例えば、白色ＬＥＤ１７に代えて黄色、赤色または青色ＬＥＤを含む各種の照明灯を使用するなど、発明の趣旨を逸脱しない範囲で、各部の構成または制御手順を適宜に変更して実施することも可能である。
【符号の説明】
【００２３】
１    インターホンシステム
１１    玄関子機
１２    子機ＣＰＵ
１３    カメラ
１４    呼出ボタン
１５    子機マイク
１６    子機スピーカ
１７    白色ＬＥＤ
２１    インターホン親機
２２    親機ＣＰＵ
２３    モニタ
２５    通話ボタン
２６    操作部
２７    異常報知部
【図１】
0005856892.tif 000002
【図２】
0005856892.tif 000003